(57)【特許請求の範囲】
【請求項１】
周囲温度の製品を受け取ることに応答して、複数の異なる製品ブランドから温度制御された製品を供給するための商品販売機であって、
温度制御された区画と、
前記温度制御された区画に隣接する製品投入システムと、
前記温度制御された区画内に配置される複数シュート製品供給システムと、
前記製品投入システムおよび前記複数シュート製品供給システムと協働するＸ−Ｙ駆動装置と、
を含み、
前記複数シュート製品供給システムが、供給起動機構と連絡する複数の製品シュートを含み、前記Ｘ−Ｙ駆動装置が、前記周囲温度の製品を前記複数の製品シュートの一つに落とし、前記供給起動機構が、前記温度制御された製品を当該製品シュートから供給する、商品販売機。
【請求項２】
周囲温度の製品区画をさらに含む、請求項１に記載の商品販売機。
【請求項３】
前記製品投入システムが識別モジュールを含む、請求項１又は２に記載の商品販売機。
【請求項４】
前記識別モジュールが光学認識装置を含む、請求項３に記載の商品販売機。
【請求項５】
前記製品投入システムが、投入ポートと拒絶ポートとを含む、請求項１から４のいずれか一項に記載の商品販売機。
【請求項６】
前記製品投入システムが、拒絶セレクタと投入セレクタとを含む、請求項１から４のいずれか一項に記載の商品販売機。
【請求項７】
前記Ｘ−Ｙ駆動装置が、製品台車であって、その中に１つまたは複数の可動式製品支持棒を有する製品台車を含む、請求項１から６のいずれか一項に記載の商品販売機。
【請求項８】
前記製品台車が、１つまたは複数のＸ駆動ロッドおよび１つまたは複数のＹ駆動ロッドに沿って移動する、請求項７に記載の商品販売機。
【請求項９】
前記複数の製品シュートが、前記製品台車と協働する起動レバーを含む、請求項７又は８に記載の商品販売機。
【請求項１０】
前記複数の製品シュートが、複数のガイドプレートと複数のストッパプレートとを含む、請求項１から９のいずれか一項に記載の商品販売機。
【請求項１１】
前記供給起動機構が、前記複数の製品シュートと連絡するシュート駆動レールを含む、請求項１から１０のいずれか一項に記載の商品販売機。
【請求項１２】
前記供給起動機構が、前記シュート駆動レールと連絡する駆動ロッドおよび駆動ギヤを含む、請求項１１に記載の商品販売機。
【請求項１３】
前記温度制御された区画が、冷却された区画、超冷却された区画、および／または加熱された区画を含む、請求項１から１２のいずれか一項に記載の商品販売機。
【請求項１４】
周囲温度の製品を受け取ると温度制御された製品を供給する方法であって、
商品販売機が、前記周囲温度の製品を光学的に識別することと、
前記商品販売機が、前記識別された周囲温度の製品を温度制御された区画に放出することと、
前記商品販売機が、Ｘ−Ｙ駆動装置を介して、前記識別された周囲温度の製品を、対応する温度制御された製品を有する複数シュート製品供給システムの所定の製品シュート内に落とすことと、
前記商品販売機が、前記所定の製品シュートを起動することと、
前記商品販売機が、前記対応する温度制御された製品を供給することと
を含む、方法。
【発明の詳細な説明】
【技術分野】
【０００１】
技術分野
本出願およびその結果の特許は、概して、冷却器および他のタイプの製品供給装置などの商品販売機に関し、より詳細には、周囲温度の製品を受け取ると温度制御された製品を供給するように温度制御された区画内に配置される製品供給シュート機構を有する商品販売機に関する。
【背景技術】
【０００２】
発明の背景
一般的には、前面開口式冷却器などの商品販売機は、消費者の手が届く範囲内に複数の冷却製品が入った冷却された開口筐体を含んでもよい。前面開口式冷却器は、そのように迅速かつ容易に利用でき、しかも冷却器に入った冷却製品に近いことにより、そのような冷却器は、消費者の購買衝動をしばしば刺激する。その結果、前面開口式冷却器は、同じサイズを有するおよび／または同様に設置される従来のガラス扉の商品販売機などと比較して多くの販売量を提供することができる。また、前面開口式冷却器は、従来の製品棚または他の場所に周囲温度で保管されている同様の製品と比較して多くの販売量を提供することができる。
【０００３】
しかし、従来の前面開口式冷却器の１つの欠点は、冷気を逃がさないための扉または他のタイプの絶縁された前面空間がないため、冷却器が同じサイズのガラス扉の商品販売機と比較して数倍多くのエネルギーを消費し得ることである。そのため、前面開口式冷却器により般にもたらされる高い販売収入は、結果的に高くなるエネルギーコストを埋め合わせたり、または正当化したりすることができない。さらに、エネルギー効率がよく、「環境に優しい」装置に対する需要がますます増加している。冷却製品の多くの在庫を長期間維持することは、エネルギー効率的でないことがあり得る。
【発明の概要】
【発明が解決しようとする課題】
【０００４】
したがって、前面開口式冷却器のように購買衝動を促してより利用しやすく、しかしガラス扉の商品販売機、箱形冷却器などのように効率が改善され、エネルギーコストを減少させる、改良型の冷却器、商品販売機などが求められている。したがって、商品販売機は、その中に冷却される製品の数を制限するように、周囲温度の製品を受けると温度制御された製品を供給してもよい。
【課題を解決するための手段】
【０００５】
発明の概要
したがって、本出願およびその結果の特許は、商品販売機を提供する。商品販売機は、温度制御された区画と、温度制御された区画に隣接する製品投入システムと、温度制御された区画内に配置される複数シュート製品供給機構とを含んでもよい。複数シュート製品供給システムは、供給起動機構と連絡する複数の製品シュートを含んでもよい。
【０００６】
本出願およびその結果の特許は、周囲温度の製品を受け取ると温度制御された製品を供給する方法をさらに提供する。方法は、周囲温度の製品を光学的に識別するステップと、識別された周囲温度の製品を温度制御された区画に放出するステップと、識別された周囲温度の製品を、対応する温度制御された製品とともに所定の製品シュートに搬送するステップと、所定の製品シュートを起動するステップと、対応する温度制御された製品を供給するステップとを含んでもよい。
【０００７】
本出願およびその結果の特許は、商品販売機をさらに提供する。商品販売機は、温度制御された区画と、温度制御された区画内に配置される製品供給シュート機構とを含んでもよい。製品供給シュートは、トウバーによって接続される上部ローディング機構および下部分離機構を含んでもよい。トウバーはばね付勢されてもよい。上部ローディング機構および下部分離機構は、周囲温度の製品を受けると温度制御された製品を供給するために、ばね付勢トウバーを介して協働してもよい。
【０００８】
本出願およびその結果の特許は、商品販売機から製品を供給する方法をさらに提供する。方法は、第２のストッパプレートの対上の底部カラム位置に第１の製品を落下させるように、ストッパプレートの第１の対を開けて、ストッパプレートの第２の対を閉じるためにレバーを操作するステップと、第２の製品を頂部カラム位置に挿入するステップと、ストッパプレートの第２の対を開けて底部カラム位置から第１の製品を供給し、ストッパプレートの第１の対を閉じてその上に第３の製品を受けるために、レバーを操作するステップとを含んでもよい。
【０００９】
本出願およびその結果の特許は、超冷却商品販売機をさらに提供する。超冷却商品販売機は、外殻と、超冷却冷蔵システムと、外殻内に配置される供給ホイールと、供給ホイールを進めるラチェット機構とを含んでもよい。ラチェット機構は、超冷却製品を供給するために、供給ホイールを進めてもよい。
【００１０】
本出願およびその結果の特許のこれらのおよび他の特徴および改良は、いくつかの図面と添付の特許請求の範囲とともに以下の詳細な説明を検討することにより、当業者に明らかになるであろう。
【図面の簡単な説明】
【００１１】
【図１】本明細書に記載され得る複数の製品を有する商品販売機の前部平面図である。
【図２】冷蔵室を示す図１の商品販売機の側断面図である。
【図３】本明細書に記載され得る商品販売機のさらなる実施形態の斜視図である。
【図４】図３の商品販売機の前部平面図である。
【図５】図３の商品販売機の側面平面図である。
【図６】図３の商品販売機の上部平面図である。
【図７】図３の商品販売機で使用できる光学認識システムの斜視図である。
【図８】図３の商品販売機で使用できる二重シュート製品供給機構の斜視図である。
【図９】図８の二重シュート製品供給機構の側面平面図である。
【図１０】本明細書に記載され得る商品販売機のさらなる実施形態の斜視図である。
【図１１】図１０の商品販売機の前部平面図である。
【図１２】図１０の商品販売機の側面平面図である。
【図１３】図１０の商品販売機の後部平面図である。
【図１４】図１０の上部平面図商品販売機である。
【図１５】図１０の商品販売機で使用できる光学認識システムの斜視図である。
【図１６】図１０の商品販売機で使用できるＸ−Ｙ駆動装置の斜視図である。
【図１７】図１０の商品販売機で使用できる製品供給シュートの斜視図である。
【図１８】図１０の商品販売機で使用できる製品供給起動機構の斜視図である。
【図１９】使用時の図１０の商品販売機の複数シュート製品供給機構の側面平面図である。
【図２０】使用時の図１０の商品販売機の複数シュート製品供給機構の側面平面図である。
【図２１】使用時の図１０の商品販売機の複数シュート製品供給機構の側面平面図である。
【図２２】使用時の図１０の商品販売機の複数シュート製品供給機構の側面平面図である。
【図２３】本明細書に記載され得る超冷却商品販売機の斜視図である。
【図２４】図２３の超冷却商品販売機の側面平面図である。
【図２５】図２３の超冷却商品販売機の前部平面図である。
【図２６】図２３の超冷却商品販売機の上部平面図である。
【図２７】図２３の超冷却商品販売機とともに使用される供給機構の部分側面平面図である。
【図２８】図２３の供給機構のさらなる部分側面平面図である。
【図２９】本明細書に記載され得る商品販売機のさらなる実施形態の概略図である。
【図３０】図２９の商品販売機で使用できる製品の概略図である。
【発明を実施するための形態】
【００１２】
詳細な説明
本出願は、任意の数の製品１０を販売または他の用途に提供することに関する。例示の目的のみで、瓶の形態の製品１０が示されているが、製品１０は瓶、缶、袋、箱、包装された物品および／または任意のタイプの固いまたは柔軟性のあるパッケージを含むが、これに限定されない、任意のタイプまたはサイズの容器を含み得ることを理解されたい。製品１０は飲料、食品、非食品、消費財、および／または、棚に配置され、かつ／または販売され得る任意のタイプの製品１０を含み得る。同様に、本明細書において人が使用するのは冷却した製品１０であるが、本明細書における製品１０は周囲温度、冷蔵、冷凍、加熱、あるいはいかなる所望の温度または状態でもよいことが理解されるであろう。以下でより詳細に説明するように、本明細書における製品１０は、周囲温度の製品２０および温度制御された製品３０の形式をとってもよい。周囲温度の製品２０および温度制御された製品３０は、同一の製品１０でもよく、そうでなくてもよい。他の製品の種類も本明細書において使用可能である。本出願の範囲および本明細書における特許請求の範囲は、本明細書で使用することを目的とした製品１０の性状によって何ら限定されない。
【００１３】
ここで図面を参照すると、いくつかの図面を通して同様の数字は同様の要素を示し、図１および２は、本明細書で記載され得る商品販売機１００を示す。商品販売機１００は１つまたは複数の開口または周囲温度の区画１１０を含んでもよい。各周囲温度の区画１１０は複数の開口または周囲温度の区画棚１２０を含んでもよい。任意の数の周囲温度の区画棚１２０が使用可能である。周囲温度の区画１１０および周囲温度の区画棚１２０は、任意の好適なサイズ、形状、または構成を有してもよい。任意の数の製品１０を周囲温度の区画棚１２０に置くことが可能である。周囲温度の区画棚１２０は平坦でもよく、または角度のある棚、重力で供給される棚、ネック型追跡チューブ、製品シュートなどの製品１０を支持する任意のタイプの構造でもよい。同様に、垂直のカラムおよび従来の自動販売カラムを使用してもよい。少なくとも周囲温度の区画１１０の前面は、周囲温度の区画棚１２０上の製品１０におおむねスムーズなアクセスを可能にするように開口していてもよい。周囲温度の区画１１０およびその中の製品２０は、周囲温度で維持されてもよい。しかし、周囲温度の区画１１０の一部または全部は、加熱、冷却、あるいは他に断続的または一時的に温度制御されてもよい。他の構成要素および他の構成が本明細書において使用可能である。
【００１４】
商品販売機１００は、温度制御された区画１３０を含むこともできる。温度制御された区画１３０は、実質的に包囲および／または絶縁されてもよい。温度制御された区画１３０は、その中に配置される任意の数の製品供給シュート機構１４０を有してもよい。製品供給シュート機構１４０の例は、以下でより詳細に説明される。温度制御された区画１３０はまた、平坦な棚、角度のある棚、重力で供給される棚、ネック型追跡チューブ、製品シュートなどの他のタイプの支持構造をその中に有してもよい。図１および２に示される温度制御された区画１３０は周囲温度の区画１１０と一体化しているが、温度制御された区画１３０は、伝統的な店の棚などの上の周囲温度の製品２０が温度制御された区画１３０で使用されてもよいように、独立したユニットとして作動してもよいことを理解されたい。温度制御された区画１３０は冷凍、冷却、周囲温度、温暖、または高温のうちの任意の所望の温度であってもよい。温度制御された区画は、従来の加熱／冷却モジュール１５０などと連絡可能である。複数の温度を有する、複数の温度制御された区画１３０も本明細書において使用可能である。他の構成要素および他の構成が本明細書において使用可能である。
【００１５】
温度制御された区画１３０および／または周囲温度の区画１１０は、スキャナーまたは他のタイプの識別モジュール１６０を含んでもよい。識別モジュール１６０は、光学認識装置、バーコードスキャナー、ＲＦＩＤタグリーダー、光電池、および／あるいは製品１０の上で印を読み、製品１０の形状を識別し、または製品１０の識別情報を識別もしくは受信してもよい任意のタイプの装置を含んでもよい。たとえば、カメラが識別のために瓶のラベルまたはキャップを読みとってもよい。代替、瓶の液体レベル、瓶の中の流体の色、または他のタイプの印が使用されてもよい。このプロセスは、ラベルおよびキャップが常に同一の位置にある、ならびに信頼性の向上のために適正な製品と一緒になっている異質な物品を見付ける機能を有するという利点を有する。あるいは、製品１０の識別情報は、消費者が製品選択ボタンなどを押すことなどにより入力または他に表示され得る。他のタイプの選択手段も本明細書において使用可能である。識別モジュール１６０は、温度制御された区画１３０に隣接しているものとして示されているが、識別モジュール１６０は任意の都合のよい場所に配置されてもよい。識別モジュール１６０はまた、全体として商品販売機１００とともに使用されることを意図していない製品１０の受入れを拒絶または拒否してもよい。他の構成要素および他の構成が本明細書において使用可能である。
【００１６】
図３〜９は、本明細書に記載される商品販売機１７０の例を示す。示されるように、商品販売機１７０は外殻１８０を含んでもよい。外殻１８０は、任意のタイプのかなり固い材料から作製されてもよく、任意の好適なサイズ、形状、または構成を有してもよい。外殻１８０は、全部または一部において絶縁されてもよい。商品販売機１７０は、投入ポート１９０と、供給ポート２００と、供給レバー２１０と、拒絶ポート２２０とを含んでもよい。ポート１９０、２００、２２０、および供給レバー２１０は、任意の好適なサイズ、形状、または構成を有してもよい。商品販売機１７０はまた、その中に温度制御された区画２３０を有してもよい。温度制御された区画２３０は、任意の好適なサイズ、形状、または構成を有してもよい。商品販売機１７０は、温度制御された区画２４０内に配置される１つまたは複数の製品供給シュート機構１４０を有してもよい。この例において、二重シュート製品供給機構２３０が、その中に配置されてもよい。
【００１７】
いくつかの実施形態において、商品販売機１７０は、単一のブランドの製品のみを収納してもよい。このような実施形態において、投入ポート１９０は、単一のブランドのパッケージの輪郭に対応するように寸法決めされ、かつ形状付けられてもよい。それゆえ、単一のブランドのパッケージの輪郭を有する製品のみ、商品販売機１７０に挿入することができる。いくつかの実施形態において、商品販売機１７０は、適切なブランドの周囲温度の製品２０が商品販売機１７０に挿入されることを保証するための識別モジュール１６０を含んでもよい。識別モジュール１６０は、適切なブランドの製品が識別されない限り、供給レバー２１０を操作可能にすることを防止するロック機構（図示せず）と相互作用してもよい。あるいは、以下でより詳細に説明するように、拒絶ポート２２０が使用されてもよい。他の構成要素および他の構成が本明細書において使用可能である。
【００１８】
図７は、光学認識システム２５０の形態の識別モジュール１６０の例を示す。商品販売機１７０は、投入ポート１９０のまわりに、および温度制御された区画２３０の頂部またはそれに隣接して投入キャビティ２６０を有してもよい。シャトル２７０は、投入キャビティ２６０と温度制御された区画２３０とを分離してもよい。シャトル２７０は、ピボットロッド２８０などのまわりを旋回してもよい。シャトル２７０は、複数の電磁石２９０によって開閉されてもよい。シャトル２７０は、任意の好適なサイズ、形状、または構成を有してもよい。他のタイプの開閉装置が本明細書において使用可能である。
【００１９】
光学認識システム２５０は、カメラ３００を含んでもよい。カメラ３００は、従来の光学認識装置などでもよい。メインカメラ照明光源３１０が使用されてもよい。また、バックグラウンド照明光源（図示せず）が、カメラ３００の反対側で使用されてもよい。照明光源は、発光ダイオードまたは他のタイプの従来の光源でもよい。バックグラウンド照明光源は、カメラ照明光源３１０より低電力の照明光源でもよい。バックグラウンド照明光源は、カメラ３００の反対側の表面に沿った別個の位置、または他にカメラ３００の視野内に、間隔をあけて配置される複数の照明光源を含んでもよい。投入キャビティ２６０は、バックグラウンド照明を有する表面とカメラ３００との間に配置されてもよい。
【００２０】
作動中、カメラ３００は、定期的に状況をサンプリングしてもよく、または他に状況のサンプリング画像を取り込んでもよく、光学認識システム２５０は、ベースラインサンプリング画像に対して状況が変わったかどうかを決定してもよい。いくつかの実施形態において、カメラ３００で取り込まれる最新のサンプリング画像は低解像度画像でもよい（たとえば、カメラ３００の利用可能な画素のすべてより低いか、または他にカメラ３００の最大解像度より低いか、またはカメラ照明光源３１０が起動している間にカメラ３００で取り込まれる検出画像の解像度より低いサンプリングに基づいて取り込まれる画像）。光学認識システム２５０によって決定される最新のサンプリング画像とベースラインサンプリング画像との間の変化は、バックグラウンド照明光源の１つまたは複数が最新のサンプリング画像においてブロックされるまたは他に検出されないこと、対象物が最新のサンプリング画像で認識されること、あるいは最新のサンプリング画像とベースラインサンプリング画像との間で識別される他のそのような変化を検出することを含んでもよい。ベースラインサンプリング画像と最新のサンプリング画像との間の差異が決定されると、カメラ照明光源３１０が起動されてもよく、カメラ３００は、光学認識システム２５０によって処理されてもよい検出画像を取り込み、以下でより詳細に論じられるように、認可された製品が投入キャビティ２６０に挿入されているかどうか識別してもよい。
【００２１】
ベースラインサンプリング画像は、商品販売機１７０が使用される場所に設置された後に確定されてもよい。商品販売機１７０を設置する技術者によって商品販売機１７０をプログラミングモードで作動させ、カメラ３００に、商品販売機１７０の使用場所でベースラインサンプリング画像を取り込んで、保存するようにさせてもよい。したがって、ベースラインサンプリング画像は、それが使用される商品販売機１７０の周囲の照明条件を考慮してもよい。代替的にまたは上記に加えて、商品販売機１７０は、商品販売機１７０の休止期間中、または他に商品販売機１７０が活発に使用されていないときに、新しいベースラインサンプリング画像を定期的に取り込んで、保存するように作動してもよい。たとえば、新しいベースラインサンプリング画像は、これまで時間、１時間おき、またはいくつかの他の定期的な間隔で取り込むことができる。したがって、ベースラインサンプリング画像は、１日を通して生じることがある商品販売機１７０の周囲の照明条件の変化を考慮してもよい。
【００２２】
供給レバー２１０が前方へ押されて、製品１０が投入キャビティ２６０に挿入されるかまたは他に受け取られると、製品１０がバックグラウンド照明光源をブロックしてもよく、または他に光学認識システム２５０に最新のサンプリング画像とベースラインサンプリング画像との間の変化を検出させてもよい。上述のように、これは、カメラ３００およびカメラ照明光源３１０に起動するように合図する。カメラ３００が製品１０を認可された製品と識別する場合、電磁石２９０は、製品１０が温度制御された区画２３０に落下するように、シャトル２７０を解放してもよい。そうでない場合、製品１０は、拒絶ポート２２０の方へころがってもよく、投入キャビティ２６０にとどまってもよく、または他に処分されてもよい。カメラ３００は、ベースライン製品画像などの閾値と比較して、製品１０を識別してもよい。
【００２３】
ベースラインサンプリング画像と同様に、ベースライン製品画像は、商品販売機１７０が使用される場所に設置された後に確定されてもよい。商品販売機１７０は、商品販売機１７０を設置する技術者によって製品プログラミングモードで運転され、カメラ照明光源３１０を起動し、カメラ３００に、商品販売機１７０の使用場所でベースライン製品画像を取り込んで、保存するようにしてもよい。したがって、ベースライン製品画像は、それが使用される商品販売機１７０の周囲の照明条件を考慮してもよい。いくつかの実施形態において、カメラ照明光源３１０は、商品販売機１７０の周囲の照明条件の影響を小さくするために十分に強くてもよく、および／または１日を通して商品販売機の周囲の照明条件の変化の影響を小さくするために十分に強くてもよい。
【００２４】
複数のブランドを含む商品販売機については、別々のベースライン製品画像が、商品販売機によって搬送される認可されたブランドのそれぞれのために生成されてもよい。このような複数のブランドの商品販売機において、製品プログラミングモードは、製品ブランドごとの商品販売機内の有効な収納位置を示す、ユーザインターフェース（図示せず）からの入力をさらに受け取ってもよい。他の構成要素および他の構成が本明細書において使用可能である。
【００２５】
図８および９に示されるように、二重シュート製品供給機構２４０は、温度制御された区画２３０内に配置される、実質的に上記のような２つの製品供給シュート１４０を含んでもよい。この例において、第１の製品シュート機構３２０および第２の製品シュート機構３３０は、二重シュート製品供給機構２４０で示される。製品シュート機構３２０、３３０は、供給レバー２１０を共用してもよい。この例において、二重シュート製品供給機構２４０は、ばね付勢方向プレートロッド３５０によって操作可能である製品方向プレート３４０も含む。製品方向プレート３４０は、交互に切り換える方法で製品１０を各製品シュート機構３２０、３３０に搬送するように、入ってくる製品１０を第１の製品シュート機構３２０に落下させ、次の製品１０を第２の製品シュート機構３３０に落下させることが可能になる。他の構成要素および他の構成が本明細書において使用可能である。
【００２６】
二重シュート製品供給機構２４０は、垂直に積み重ねる向きまたは他の向きで、任意の数の製品１０をその中に含むように寸法決めされてもよい。二重シュート製品供給機構２４０の各シュートは、シュート壁３６０の対を含んでもよい。シュート壁３６０は、任意のタイプのかなり固い材料から作製されてもよい。他のタイプの分離または構造要素が、製品１０を略水平方向に維持するように、本明細書において使用可能である。
【００２７】
各シュートは、上部ローディング機構３７０および下部分離機構３８０を有する機械的供給機構でもよい。上部ローディング機構３７０は、ばね付勢トウバー３９０を介して下部分離機構３８０と連絡してもよい。上部ローディング機構３７０は、ばね付勢トウバー３９０に取り付けられる上ガイドプレート２４０を含んでもよい。旋回レバー２１０の旋回運動を上ガイドプレート４００の垂直運動に変換するための他の機構が本明細書において使用可能である。他の構成要素および他の構成が本明細書において使用可能である。
【００２８】
下部分離機構３８０は、任意の数のストッパプレート４１０を含んでもよい。ストッパプレート４１０は、任意の好適なサイズ、形状、または構成を有してもよい。ストッパプレート４１０は、それらの長さ方向に沿って連続的でもよくまたは断続的でもよい。ストッパプレート４１０は、容易な回転に適合させるために、ローラなどを備え付けてもよい。このようなローラは、積み重ね高さがプレート４１０上の力を増加させる場合に、好適とすることができる。ストッパプレート４１０は、その上にストッパプレートロッド４２０をそれぞれ有してもよい。ストッパプレートロッド４２０の端部は、それとの移動のために下ガイドプレート４３０に取り込まれてもよい。下ガイドプレート４３０は、ばね付勢トウバー３９０と連絡してもよい。下ガイドプレート４３０は、複数のストッパプレートロッドスロット４４０を有してもよい。ストッパプレートロッドスロット４４０は、下ガイドプレート４３０がばね付勢トウバー３９０によって垂直に移動するとき、内向き方向および外向き方向に、ストッパプレート４１０およびストッパプレートロッド４２０を案内してもよい。他の構成要素および他の構成が本明細書において使用可能である。
【００２９】
使用時、消費者は商品販売機１７０の供給レバー２１０を引き、投入ポート１９０内に周囲温度の製品２０を置き、供給レバー２１０を放すまたは他に戻す。供給レバー２１０の交互の旋回は、製品方向プレート３４０を第１の製品シュート機構３２０または第２の製品シュート機構３３０の方へ移動させる。よって供給レバー２１０を押すことにより、積み重ねの下側位置の製品がストッパプレート４１０の間で分けられるように、トウバー３９０は上向きに引っ張られる。スタックの頂部に入る製品がない場合、トウバー２１０は、積み重ねの底部の製品が分けられないように、上向きに移動しない。下部分離機構３８０の上ストッパプレート４１０は、その上に支持される底部の温度制御された製品３０によって内向き方向でもよい。上ガイドプレート４００が高くなると、ばね付勢トウバー３９０は下ガイドプレート４３０も上に引っ張る。この動きは、下ストッパプレート４１０を内向き方向に移動させ、上ストッパプレートを外向き方向へ移動させる。したがって、底部の温度制御された製品３０は、上ストッパプレート４１０から底部カラム位置の下ストッパプレートの方へ落下する。レバー２１０を放すまたは他に戻すことにより、ばね付勢トウバー３９０が下ガイドプレート４３０を引き上げる。したがって、上ストッパプレート４１０は内向き方向に移動して次の温度制御された製品３０を取り込み、同時に、下ストッパプレート４１０は、底部の温度制御された製品３０を底部カラム位置から供給するように、外向き方向に移動する。したがって、二重シュート製品供給機構２４０は、電子機器またはモータを使わずに効率的に製品３０を機械的に供給する。他の構成要素および他の構成が本明細書において使用可能である。
【００３０】
図１０〜１４は、本明細書に記載され得る商品販売機４５０のさらなる例を示す。商品販売機４５０は、外殻１８０を含んでもよい。外殻１８０は、任意のかなり固い材料から作製されてもよく、任意の好適なサイズ、形状、または構成を有してもよい。外殻１８０は、全部または一部において絶縁されてもよい。商品販売機４５０は、投入ポート４６０と、１つまたは複数の供給ポート４７０と、拒絶ポート４８０とを含んでもよい。ポート４６０、４７０、４８０は、任意の好適なサイズ、形状、または構成を有してもよい。商品販売機４５０は、外殻１８０のまわりに配置される製品投入システム４９０を含んでもよい。他の構成要素および他の構成が本明細書において使用可能である。
【００３１】
商品販売機４５０は、温度制御された区画１３０を含んでもよい。温度制御された区画１３０は、任意の好適なサイズ、形状、または構成を有してもよい。商品販売機４５０は、複数シュート製品供給機構５００を含んでもよい。複数シュート製品供給機構５００は、温度制御された区画１３０内に配置されてもよく、任意の数の製品供給シュート５０５または同様のタイプの供給機構を使用して、そこから製品を供給してもよい。９つの製品供給シュート５０５が示されているが、任意の構成において任意の数が本明細書において使用可能である。各製品シュート５０５は、商品販売機４５０が多くの異なるタイプまたはブランドの製品１０を提供できるように、特定のタイプまたはブランドの製品１０をその中に有してもよい。製品１０の任意の数のタイプまたはブランドが本明細書において使用可能である。異なるサイズの製品シュート５０５が、異なるサイズの製品のために使用されてもよい。異なる温度の製品１０も本明細書において使用可能である。
【００３２】
図１５は、製品投入システム４９０の断面図を示す。製品投入システム４９０は、投入ポート４６０と拒絶ポート４８０とを含んでもよい。製品投入システム４９０は、光学認識装置２５０の形態の識別モジュール１６０を含んでもよい。特に、光学認識装置２５０は、カメラ３００と、メインライト３１０と、バックグラウンドライト５１０とを含んでもよい。光学認識装置２５０は、上記と略同様の方法で作動してもよい。
【００３３】
製品投入システム４９０は、投入ポート４６０のまわりに配置されるシャッタ５２０を含んでもよい。シャッタ５２０は、投入ポート４６０を介して投入キャビティ５３０にアクセスできるように開閉してもよい。製品投入システム４９０はまた、拒絶セレクタ５４０と投入セレクタ５５０とを含んでもよい。拒絶セレクタ５４０は、拒絶ポート４８０のまわりに配置される旋回装置でもよい。同様に、投入セレクタ５５０は、温度制御された区画１３０のまわりに配置される旋回装置でもよい。
【００３４】
使用時、シャッタ５２０は、製品投入システム４９０の投入キャビティ５３０にアクセスできるように開けられてもよい。認可されていない小さい対象物は、直接、拒絶ポート４８０に落ちてもよい。製品１０は、投入ポート４６０内に配置されて、投入キャビティ５３０に落ちてもよい。製品１０は、カメラ３００およびメインライト３１０を起動するように、バックグラウンドライト５１０をブロックする。次いでカメラ３００は、製品１０を認識しようとしてもよい。製品１０が認識されないまたは認可されない場合、拒絶セレクタ５４０は、製品１０が拒絶ポート４８０にころがるように旋回してもよく、および／または他に製品は処分される。製品１０が認識されて認可される場合、投入セレクタ５５０は、製品１０が温度制御された区画１３０に落下するように旋回してもよい。同様に、シャッタ５２０は、温度制御された区画１３０への投入、ならびにその中の冷気の損失をブロックするように閉じられる。手動の投入システムも本明細書において使用可能である。他の構成要素および他の構成が本明細書において使用可能である。
【００３５】
商品販売機４５０は、複数シュート製品供給システム５００と協働するＸ−Ｙ駆動装置５６０を含んでもよい。Ｘ−Ｙ駆動装置５６０は、製品投入システム４９０から製品供給シュート５０５の任意の１つまで製品１０を搬送してもよい。図１６に示されるように、Ｘ−Ｙ駆動装置５６０は、製品台車５７０を含んでもよい。製品台車５７０は、その中に複数の製品支持棒５８０を有してもよい。製品支持棒５８０は、製品台車５７０の長さに沿って、および製品台車５７０の側壁５９０を越えて延在してもよい。製品支持棒５８０は、複数の支持棒スロット６００内で移動可能でもよい。支持棒スロット６００は、支持棒５８０が、製品１０がそれを通して落下するように操作されてもよいように、略「Ｊ」形状を有してもよい。壁５９０のそれぞれはまた、その上にロッキングプレート６１０を有してもよい。ロッキングプレート６１０は、複数のロッキングプレートスロット６２０を有してもよい。ロッキングプレートスロット６２０は、開閉する製品支持棒５８０を旋回させるように、製品支持棒５８０に適合してもよい。
【００３６】
Ｘ−Ｙ駆動装置５６０は、複数のＸ駆動ロッド６３０を含んでもよい。Ｘ駆動ロッド６３０は、複数シュート供給システム５００の第１の寸法に沿って延在してもよい。製品台車５７０は、Ｘ駆動ロッド６３０に沿ってＸ方向に移動してもよい。Ｘ−Ｙ駆動装置５６０はまた、複数のＹ駆動ロッド６４０を含んでもよい。Ｙ駆動ロッド６４０は、複数シュート製品供給システム５００の第２の寸法に沿って延在してもよい。製品台車５７０およびＸ駆動ロッド６３０は、Ｙ駆動棒６４０に沿ってＹ方向に移動してもよい。Ｘ−Ｙ駆動装置５６０は、従来の設計でもよい。Ｘ駆動ロッド６３０およびＹ駆動ロッド６４０は、モータ駆動されてもよい。他の構成要素および他の構成が本明細書において使用可能である。
【００３７】
図１７は、製品供給シュート５０５のうちの１つの例を示す。製品供給シュート５０５が延在された供給位置で示される。製品供給シュート５０５は、側壁６５０の対を有してもよく、図１７では明瞭にするためにそのうちの１つが取りはずされている。各製品供給シュート５０５はまた、供給壁６６０の対を含んでもよい。供給壁６６０は、その中に任意の数の供給壁開口６７０を有してもよい。供給壁開口６７０は、下記のさまざまなローラおよびロッドに適合するように、寸法決めおよび配置されてもよい。供給壁６６０のそれぞれは、その中での移動のために配置される上ガイドプレート６８０および下ガイドプレート６９０を有してもよい。ガイドプレート６８０、６９０はばね付勢されてもよい。起動レバー７００は、それによる移動のためにガイドプレート６８０と６９０との間で延在してもよい。起動レバー７００もばね付勢されてもよい。上ストッパプレート７１０の対および下ストッパプレート７２０の対が、下ガイドプレート６９０のまわりに配置されてもよい。ストッパプレート７１０、７２０は、それによる移動のためにガイドプレート開口６９５内に配置される複数のローラベアリング７３０などを有してもよい。他の構成要素および他の構成が本明細書において使用可能である。
【００３８】
複数シュート製品供給システム５００はまた、供給起動機構７４０を含んでもよい。図１８に示されるように、供給起動システム７４０は、複数のシュート駆動レール７５０を含んでもよい。上シュート駆動レール７６０は、複数の駆動レバー７７０を介して上下に移動してもよい。上シュート駆動レール７６０および駆動レバー７７０は、プッシュロッド７８０によって移動されてもよい。次に、プッシュロッド７８０は、駆動ギヤ７９０および駆動ロッド８００による移動でもよい。駆動ロッド８００は、モータ駆動されてもよい。駆動ロッド８００の回転は、上シュート駆動レール７６０が製品供給シュート５０５と相互作用できるように、駆動ギヤ７９０を介してプッシュロッド７８０の直線運動を生じてもよい。他の構成要素および他の構成が本明細書において使用可能である。
【００３９】
供給起動機構７４０はまた、供給シャッタ８１０を上げ下げしてもよい。供給シャッタ８１０は、供給ポート４７０を開閉してもよい。シャッタレバー８２０は、供給シャッタ８１０をシャッタピボット８３０のまわりで回転させてもよい。シャッタレバー８２０は、開閉運動のために、駆動ロッド８００によって駆動されてもよい。他の構成要素および他の構成が本明細書において使用可能である。
【００４０】
図１９〜２２は、商品販売機４５０の運用を示す。周囲温度の製品２０は、製品投入システム４９０の投入ポート４６０内に配置されてもよい。製品２０は、光学認識装置２５０または他のタイプの識別モジュール１６０によって識別されてもよい。製品２０が認識されないまたは認可されない場合、拒絶セレクタ５４０は、製品２０が拒絶ポート４８０にころがるように、旋回してもよい。製品２０が認識されて認可される場合、投入セレクタ５５０は、製品２０が複数シュート製品供給システム５００のＸ−Ｙ駆動装置５６０の製品台車に落下し得るように、旋回してもよい。Ｘ−Ｙ駆動装置５６０は、製品台車５７０を適切な製品シュート５０５に移動させてもよい。特に、製品２０が識別されると、Ｘ−Ｙ駆動装置５６０は、製品台車５７０を適切な製品シュート５０５上に配置する。たとえば、製品２０がソーダブランドＡと識別される場合、Ｘ−Ｙ駆動装置５６０は、その中に複数の冷却されたブランドＡ製品３０を有する製品台車５７０を製品シュート５０５に搬送する。したがって、製品台車５７０は、図２０に示されるように、適切な製品シュート５０５上を移動してもよい。また、製品シュート５０５上に製品台車５７０を配置することにより、製品台車５７０を、所定の製品シュート５０５の起動レバー７００に係合させる。
【００４１】
図２１に示されるように、供給起動機構７４０は、製品シュート５０５の起動レバー７００を上に押すように、上シュート駆動レール７６０を移動させる。起動レバー７００を持ち上げることにより、上ガイドプレート６８０も持ち上がる。下ストッパプレート７２０は、製品をその中に支持する係合位置で始まり、同時に、上ストッパプレート７１０は開いている。上ガイドプレート６８０が高くなると、プレート６８０は、ロッキングプレート６１０および製品台車５７０の製品支持棒５８０に係合し、その中の製品が製品シュート５０５に落下できるように、外向きにそれらを押す。上シュート駆動レール７６０のさらなる動きは、上ストッパプレート７１０が閉じるように下ガイドプレート６９０を引き始め、次いで、下ストッパプレート７２０は、温度制御された製品３０が製品シュート５０５から落ちるように開く。駆動ロッド８００のさらなる回転も、供給シャッタ８１０が開くように、シャッタレバー８２０を回転させ、製品３０は供給ポート４７０にころがる。他の構成要素および他の構成が本明細書において使用可能である。
【００４２】
冷却された飲料１リットルあたり約１１５ワット時の典型的な電力使用と比較して、本明細書に記載される商品販売機４５０は、冷却された飲料１リットルあたり約６７ワット時のみの消費とすることができる。全体的なエネルギー使用は変化してもよい。商品販売機４５０が冷却された飲料に関して記載されているが、温かいまたは高温の飲料および他の製品も本明細書において使用可能である。さらに、高温製品のための周囲温度の商品販売機は、製品品質および品質保持期間の延長という利益ももたらす。多量の高温製品の在庫を有する高温装置による多くのソリューションは一般に、所定の消費期限までに供給することを必要とする。保温設備内では、製品品質は早急に悪化することがあり、高温飲料は、ローディングまたは在庫補充からわずか２日以内に消費する必要がある。本明細書の商品販売機では、限られた数の製品のみをより短い期間にわたり高温に保つことができる。これは、省エネルギーおよび製品品質の両方についての利益をもたらす。
【００４３】
同様に、商品販売機４５０はまた、冷たい区画と熱い区画との両方を有してもよい。このような実施形態において、区画は、投入ポート４６０およびＸ−Ｙ駆動５６０装置を共用してもよく、または、各区画は、別々の投入ポート４６０および別々のＸ−Ｙ駆動装置５６０を有してもよい。これらの区画のサイズ、形状、構成、および温度は異なってもよい。代替的な区画はまた、以下に記載される超冷却実施形態を含む。
【００４４】
図２３〜２８は、本明細書に記載され得る超冷却商品販売機８５０の例を示す。超冷却商品販売機は、外殻８６０を含んでもよい。外殻８６０は、任意のタイプのかなり固い材料から作製されてもよく、任意の好適なサイズ、形状、または構成を有してもよい。外殻８６０は、全部または一部において絶縁されてもよい。超冷却商品販売機８５０は、投入ポート８７００と供給ポート８８０とを含んでもよい。超冷却商品販売機８５０は、外殻８６０のまわりに配置される供給レバー８９０を含んでもよい。供給レバー８９０は、外殻８６０に沿って投入ポートプレート９１０を移動させるための投入ポートアーム９００の対を含んでもよい。投入ポートプレート９１０はまた、その中に投入ポートプレート開口９２０を含んでもよい。投入ポートプレート９１０は、投入ポートプレート開口９２０が投入ポート８７０との位置が揃うまで、外殻８６０に沿って移動する。
【００４５】
いくつかの実施形態において、商品販売機８５０は、単一のブランドの製品１０のみを収納してもよい。このような実施形態において、投入ポートプレート開口９２０は、単一のブランドのパッケージの輪郭に対応するように寸法決めされ、かつ形状付けられてもよい。それゆえ、単一のブランドのパッケージの輪郭を有する製品１０のみ、商品販売機８５０に挿入することができる。いくつかの実施形態において、商品販売機８５０は、適切なブランドの周囲温度の製品２０が商品販売機８５０に挿入されることを保証するための識別モジュール１６０を含んでもよい。識別モジュール１６０は、適切なブランドの製品が識別されない限り、供給レバー８９０を操作可能にすることを防止するロック機構（図示せず）と相互作用してもよい。他の構成要素および他の構成が本明細書において使用可能である。
【００４６】
超冷却商品販売機８５０は、温度制御された区画９３０を含む。従来の冷蔵システムが本明細書において使用可能である。温度制御された区画９３０は、約マイナス４℃などの「超冷却」製品を搬送するように、約４℃の従来の冷却温度から、さらに６〜８℃製品を冷やしてもよい。あるいは、温度制御された区画９３０は、周囲温度から約４℃まで製品を冷やしてもよい。他の温度が本明細書において使用可能である。
【００４７】
図２７および２８に示されるように、超冷却商品販売機８５０は、温度制御された区画９３０内に配置される回転供給機構９４０を含んでもよい。回転供給機構９４０は、その上に複数の製品区画９６０を有する供給ホイール９５０を含んでもよい。供給ホイール９５０は、図２７および２８に最もよく示される複数の離れた供給ホイールプレートから作製されてもよい。各供給ホイールプレート間の間隔は、温度制御された区画９３０を通して適切な空気流を促進する。任意の数の製品区画９６０が、任意の好適なサイズ、形状、または構成で、本明細書において使用可能である。回転供給機構８５０は、ラチェット機構９７０を含んでもよい。供給レバー８９０の回転は、供給ポート８８０を介して製品１０を供給するように、ラチェット機構９７０が１つの製品区画９６０の長さ方向のまわりで供給ホイール９５０を進めてもよい。他のタイプの促進または回転手段および装置が本明細書において使用可能である。他の構成要素および他の構成が本明細書において使用可能である。
【００４８】
使用時、消費者は、投入ポートプレート開口９２０が投入ポート８７０と揃うように、供給レバー８９０の投入ポートプレート９１０を移動させてもよい。消費者は、周囲温度の製品２０または温度制御された製品３０さえ、投入ポート８７０に置いてもよい。次いで消費者は、回転供給機構９４０が、ラチェット機構９７０を介して、供給ホイール９５０が約１つの製品区画９６０の距離のまわりを回転するように、供給レバー８９０を操作してもよい。供給ホイール９５０のこの回転により、超冷却製品９８０は供給ポート８８０を経由して出る。供給ホイール９５０の直径および通常の供給容積は、その中の製品が所望の超冷却温度に到達できることを保証してもよい。他の構成要素および他の構成が本明細書において使用可能である。
【００４９】
図２９は、本明細書に記載され得る商品販売機１０００のさらなる実施形態を示す。商品販売機１０００は、外殻１０１０を含んでもよい。外殻１０１０は、任意のタイプのかなり固い材料から作製されてもよく、任意の好適なサイズ、形状、または構成を有してもよい。外殻１０１０は、全部または一部において絶縁されてもよい。外殻１０１０は、投入ポート１０２０と供給ポート１０３０とを含んでもよい。識別モジュール１６０および他の構成要素および他の構成が本明細書において使用可能である。
【００５０】
商品販売機１０００は、コントローラ１０４０を含んでもよい。コントローラ１０４０は、適切なデータ記憶媒体を有する任意のタイプのプログラマブルロジックデバイスでもよい。２つ以上のコントローラ１０４０が本明細書において使用可能である。コントローラ１０４０は商品販売機１０００内に、またはそこから離れて配置されてもよい。商品販売機１０００の全体的な動作は、コントローラ１０４０によって制御されてもよい。商品販売機１０００はまた、コントローラ１０４０と通信する入力／出力装置１０５０を含んでもよい。入力／出力装置１０５０は、従来のビデオ画面、タッチスクリーン、キーパッドなどでもよい。入力／出力装置１０５０は、消費者に任意のタイプのメッセージを提供してもよく、さらに、全体として商品販売機１０００に作動パラメータを提供する。商品販売機１０００は、通信装置１０６０を含んでもよい。通信装置１０６０は従来の設計でもよく、商品販売機１０００が無線または他の方法で消費者と通信できるようにしてもよく、さらに、運用データおよび他のタイプの通信を商品販売機の作業者またはその他との間で送受信できるようにしてもよい。
【００５１】
商品販売機１００は、プリンタ１０７０も含んでもよい。プリンタ１０７０は、従来の設計でもよい。プリンタ１０７０は、供給ポート１０３０のまわりまたは他の場所に配置されてもよい。プリンタ１０７０は、直接製品１０自体に、またはラベル１０８０に、または所望の他の表面上に印刷してもよい。図３０に示されるように、プリンタ１０７０は、製品１０への適用のために、ラベル１０８０を印刷してもよい。他の構成要素および他の構成が本明細書において使用可能である。
【００５２】
商品販売機１０１０の通信装置１０６０は、たとえば消費者のバイオセンサからのデータを無線で受信してもよい。次いで、コントローラ１０４０は、入力／出力装置１０５０を介して受信したバイオデータに適合する１つのタイプの製品１０を提案してもよい。他のタイプの消費者の入力が本明細書において使用可能である。特に、非生理学的データも考慮されてもよい。たとえば、運動データが、消費者に適切な製品を決定するように使用されてもよい。さらに、商品販売機１０００は、入力に応じて、製品１０の用途に意図される他のタイプの添加物または成分を供給してもよい。商品販売機１０００はまた、たとえば、対象テキストメッセージを消費者の電話に送信することによって、消費者と通信してもよい。そのようなメッセージは、クーポン、販売オファー、または他のタイプの情報を含んでもよい。同様に、プリンタ１０７０は、たとえば消費者の名前または他の印で製品１０をパーソナライズするように、ラベル１０８０を印刷してもよい。他のタイプの製品の個性化が本明細書において使用可能である。よって本明細書に記載される商品販売機１０００は、パーソナライズされる体験を消費者に提供してもよい。
【００５３】
上記のことが本出願およびその結果の特許の特定の実施形態のみに関することは明らかである。以下の特許請求の範囲およびその均等物に規定されるように、本発明の一般的な趣旨および範囲を逸脱せずに、多数の変更形態および修正形態が本明細書において当業者によりなされ得る。
【００５４】
以下の番号を付けられた条項は、（他の態様と任意選択的に組み合わせられてもよい）本発明のさらなる態様を、それらの好ましいおよび／または任意選択の特徴に沿って説明する。
【００５５】
１．温度制御された区画と、温度制御された区画内に配置される製品供給シュート機構とを含み、製品供給シュートがトウバーによって接続される上部ローディング機構および下部分離機構を含む、商品販売機。
【００５６】
２．トウバーがばね付勢トウバーを含む、条項１に記載の商品販売機。
【００５７】
３．上部ローディング機構が、ばね付勢トウバーと連絡する上ガイドプレートを含む、条項２に記載の商品販売機。
【００５８】
４．上部ローディング機構が、上ガイドロッドを介して上ガイドプレートと連絡する旋回レバーを含む、条項３に記載の商品販売機。
【００５９】
５．分離機構が、ばね付勢トウバーと連絡する下ガイドプレートを含む、条項２に記載の商品販売機。
【００６０】
６．分離機構は、複数のストッパプレートロッドを介して下ガイドプレートと連絡する複数のストッパプレートを含む、条項５に記載の商品販売機。
【００６１】
７．複数のストッパプレートが、上ストッパプレートの対と下ストッパプレートの対とを含む、条項６に記載の商品販売機。
【００６２】
８．下ガイドプレートが、複数のストッパプレートロッドと連絡する複数のストッパプレートガイドスロットを含む、条項６に記載の商品販売機。
【００６３】
９．複数の製品供給シュート機構をさらに含む、条項１に記載の商品販売機。
【００６４】
１０．周囲温度の製品区画をさらに含む、条項１に記載の商品販売機。
【００６５】
１１．識別モジュールをさらに含む、条項１に記載の商品販売機。
【００６６】
１２．識別モジュールが光学認識装置を含む、条項１１に記載の商品販売機。
【００６７】
１３．製品供給シュート機構の対と連絡する供給レバーをさらに含む、条項１に記載の商品販売機。
【００６８】
１４．上部ローディング機構が、供給レバーと連絡する製品方向プレートを含む、条項１３に記載の商品販売機。
【００６９】
１５．投入ポートと供給ポートとをさらに含む、条項１に記載の商品販売機。
【００７０】
１６．投入ポートおよび製品供給シュート機構と連絡する製品投入機構をさらに含む、条項１５に記載の商品販売機。
【００７１】
１７．製品投入機構が製品台車と台車駆動装置とを含む、条項１６に記載の商品販売機。
【００７２】
１８．コントローラおよび入力／出力装置および／またはプリンタおよび／または通信装置をさらに含む、条項１に記載の商品販売機。
【００７３】
１９．第２のストッパプレートの対の上の底部カラム位置に第１の製品を落下させるように、ストッパプレートの第１の対を開けて、ストッパプレートの第２の対を閉じるためにレバーを操作するステップと、第２の製品を頂部カラム位置に挿入するステップと、ストッパプレートの第２の対を開けて底部カラム位置から第１の製品を供給し、ストッパプレートの第１の対を閉じてその上に第３の製品を受けるために、レバーを操作するステップとを含む、商品販売機から製品を供給する方法。
【００７４】
２０．外殻と、超冷却冷蔵システムと、外殻内に配置される供給ホイールと、製品ホイールを進めるラチェット機構とを含む、超冷却商品販売機。
【００７５】
２１．外殻が、投入ポートと供給ポートとを含む、条項２０に記載の超冷却商品販売機。
【００７６】
２２．外殻のまわりに配置され、ラチェット機構と連絡する供給レバーをさらに含む、条項２０に記載の超冷却商品販売機。
【００７７】
２３．供給レバーが、投入ポートアームの対と、投入ポートプレートとを含む、条項２２に記載の超冷却商品販売機。
【図１】
0006444415.tif 000002
【図２】
0006444415.tif 000003
【図３】
0006444415.tif 000004
【図４】
0006444415.tif 000005
【図５】
0006444415.tif 000006
【図６】
0006444415.tif 000007
【図７】
0006444415.tif 000008
【図８】
0006444415.tif 000009
【図９】
0006444415.tif 000010
【図１０】
0006444415.tif 000011
【図１１】
0006444415.tif 000012
【図１２】
0006444415.tif 000013
【図１３】
0006444415.tif 000014
【図１４】
0006444415.tif 000015
【図１５】
0006444415.tif 000016
【図１６】
0006444415.tif 000017
【図１７】
0006444415.tif 000018
【図１８】
0006444415.tif 000019
【図１９】
0006444415.tif 000020
【図２０】
0006444415.tif 000021
【図２１】
0006444415.tif 000022
【図２２】
0006444415.tif 000023
【図２３】
0006444415.tif 000024
【図２４】
0006444415.tif 000025
【図２５】
0006444415.tif 000026
【図２６】
0006444415.tif 000027
【図２７】
0006444415.tif 000028
【図２８】
0006444415.tif 000029
【図２９】
0006444415.tif 000030
【図３０】
0006444415.tif 000031